(57)【要約】【課題】端子に接続された電線が比較的大きな引き抜き力を受けても電線が引き抜かれるのを防止する。【解決手段】  配線器具は、鎖錠ばね２ｂ、速結端子板２ｋ及び器体２を含む。器体２は、鎖錠ばね２ｂから見て速結端子板２ｋの押さえ片２ｉの反対の面と隙間を介して平行となる収納壁２５を備える。収納壁２５は、収納壁２５と押さえ片２ｉの先端との間に凸部２６を備える。押さえ片２ｉは、凸部２６から離れた位置における収納壁２５と押さえ片２ｉとの間に突起部２０ｉを備える。【選択図】図１１
2015162453.tif 000002
【特許請求の範囲】
【請求項１】
中央片と、前記中央片の両端から延出される接触片及び鎖錠片とを一体に有する鎖錠ばねと、
連結部と、前記連結部の両端から延出される当接片及び押さえ片とを一体に有する速結端子板と、
前記鎖錠ばね及び前記速結端子板を収納する端子収納室と、電線の導体が自己を介して前記端子収納室内に挿入されるように構成される電線挿入口とを備える器体と  
を備え、
前記速結端子板及び前記鎖錠ばねは、
前記押さえ片側における前記連結部の部分が前記電線挿入口に面した状態で前記当接片及び前記押さえ片が前記連結部の両端から前記電線挿入口の側に伸びるように、且つ
前記中央片が前記当接片に接触した状態で前記接触片が前記連結部の側に位置し、前記鎖錠片が前記当接片及び前記押さえ片の両先端間に位置するように
前記端子収納室内に収納され、
前記器体は、前記鎖錠ばねから見て前記押さえ片の反対の面と隙間を介して平行となる収納壁を備え、
前記収納壁は、前記収納壁と前記押さえ片の先端との間に凸部を備え、
前記押さえ片は、前記凸部から離れた位置における前記収納壁と当該押さえ片との間に突起部を備える
ことを特徴とする配線器具。
【請求項２】
前記中央片は、一の方向に伸びる矩形平状であり、
前記接触片は、Ｓ状断面を持ち、前記中央片の第１端から前記中央片の一の面の側に延出され、
前記鎖錠片は、前記中央片の第２端から前記中央片の前記一の面の側に延出される屈曲部と、その屈曲部から延出される矩形平状部とからなり、
前記連結部は、平状であり、
前記当接片及び押さえ片は、前記連結部の両端から互いに平行に延出される
ことを特徴とする請求項１記載の配線器具。
【請求項３】
前記凸部は、前記押さえ片の先端と前記鎖錠片の先端に対応する位置との間に設けられていることを特徴とする請求項１又は２記載の配線器具。
【請求項４】
前記突起部は、前記中央片の中間部に対応する位置に設けられていることを特徴とする請求項１から３の何れか１項に記載の配線器具。
【請求項５】
前記配線器具はスイッチモジュールであることを特徴とする請求項１から４の何れか１項に記載の配線器具。
【発明の詳細な説明】
【技術分野】
【０００１】
本発明は、一般に配線器具、より詳細には、複数の速結端子（速結端子構造）を含む配線器具に関する。
【背景技術】
【０００２】
例えば、特許文献１は、ピアノハンドル式スイッチを開示する。このピアノハンドル式スイッチは、第１の端子板及び第２の端子板を含む。第１の端子板は、２個の鎖錠ばねと解除釦とともに所定の端子収納室に収納される。同様に、第２の端子板も、２個の鎖錠ばねと解除釦とともに所定の端子収納室に収納される。
【０００３】
このような端子は、速結端子と呼ばれ、電線の導体を所定の電線挿入口から端子収納室内に挿入するだけで、導体を速結端子に電気的及び機械的に接続することができる。
【先行技術文献】
【特許文献】
【０００４】
【特許文献１】特開２００４−２９６２３１号公報
【発明の概要】
【発明が解決しようとする課題】
【０００５】
屋内配線の施工時において、電線に比較的大きな引き抜き力がかかることがある。この場合、端子収納室内に挿入された電線が、端子収納室から引き抜かれることがある。
【０００６】
本発明は、上記課題に鑑みて為されたものであり、端子に接続された電線が比較的大きな引き抜き力を受けても電線が引き抜かれるのを防止することを目的とする。
【課題を解決するための手段】
【０００７】
本発明の配線器具は、鎖錠ばね、速結端子板及び器体を備える。鎖錠ばねは、中央片と、前記中央片の両端から延出される接触片及び鎖錠片とを一体に有する。速結端子板は、連結部と、前記連結部の両端から延出される当接片及び押さえ片とを一体に有する。器体は、前記鎖錠ばね及び前記速結端子板を収納する端子収納室と、電線の導体が自己を介して前記端子収納室内に挿入されるように構成される電線挿入口とを備える。前記速結端子板及び前記鎖錠ばねは、前記押さえ片側における前記連結部の部分が前記電線挿入口に面した状態で前記当接片及び前記押さえ片が前記連結部の両端から前記電線挿入口の側に伸びるように、且つ前記中央片が前記当接片に接触した状態で前記接触片が前記連結部の側に位置し、前記鎖錠片が前記当接片及び前記押さえ片の両先端間に位置するように前記端子収納室内に収納される。前記器体は、前記鎖錠ばねから見て前記押さえ片の反対の面と隙間を介して平行となる収納壁を備える。前記収納壁は、前記収納壁と前記押さえ片の先端との間に凸部を備える。前記押さえ片は、前記凸部から離れた位置における前記収納壁と当該押さえ片との間に突起部を備える。
【０００８】
上記配線器具において、前記中央片は、一の方向に伸びる矩形平状であり、前記接触片は、Ｓ状断面を持ち、前記中央片の第１端から前記中央片の一の面の側に延出されることが望ましい。前記鎖錠片は、前記中央片の第２端から前記中央片の前記一の面の側に延出される屈曲部と、その屈曲部から延出される矩形平状部とからなることが望ましい。前記連結部は、平状であることが望ましい。前記当接片及び押さえ片は、前記連結部の両端から互いに平行に延出されることが望ましい。
【０００９】
上記配線器具において、前記凸部は、前記押さえ片の先端と前記鎖錠片の先端に対応する位置との間に設けられていることが望ましい。
【００１０】
上記配線器具において、前記突起部は、前記中央片の中間部に対応する位置に設けられていることが望ましい。
【００１１】
本発明の配線器具は、例えばスイッチモジュールである。
【００１２】
スイッチモジュールの一例において、スイッチモジュールは、第１端子及び第２端子を含む。第１端子は、第１及び第２速結端子板を含む端子板と、２個の鎖錠ばねとにより構成され、第１及び第２速結端子板の各々が上記速結端子板に対応する。第２端子は、第３及び第４速結端子板を含む端子板と、２個の鎖錠ばねとにより構成され、第３及び第４速結端子板の各々が上記速結端子板２ｋに対応する。
【００１３】
スイッチモジュールの別例において、スイッチモジュールは、第１端子、第２端子及び第３端子を含む。第１端子は、第１及び第２速結端子板を含む端子板と、２個の鎖錠ばねとにより構成され、第１及び第２速結端子板の各々が上記速結端子板に対応する。第３端子は、第３速結端子板を含む端子板と、鎖錠ばねとにより構成され、第３速結端子板が速結端子板に対応する。第２端子は、第４速結端子板を含む端子板と、鎖錠ばねとにより構成され、第４速結端子板が速結端子板に対応する。
【発明の効果】
【００１４】
本発明は、端子に接続された電線が比較的大きな引き抜き力を受けても電線が引き抜かれるのを防止することが可能になるという効果がある。
【図面の簡単な説明】
【００１５】
【図１】本発明の一実施形態による配線器具の断面図である。
【図２】本実施形態の第１から第３端子及び回路基板の斜視図である。
【図３】上記配線器具の分解斜視図である。
【図４】本実施形態のボディ、可動接点板、鎖錠ばね及び解除釦の平面図である。
【図５】本実施形態の第１具体例に使用される設置部材を含む斜視図である。
【図６】第１具体例に使用される設置部材を含む別の斜視図である。
【図７】本実施形態の第２具体例に使用される設置部材を含む斜視図である。
【図８】本実施形態の第３具体例に使用される設置部材を含む斜視図である。
【図９】本実施形態におけるカバーの斜視図である。
【図１０】本実施形態における押釦、スライドカム、ばね片、復帰ばね、カバー、反転ハンドル及び反転ばねの斜視図である。
【図１１】本実施形態における速結端子構造の断面図である。
【図１２】図１２（ａ）及び１２（ｂ）は本実施形態における速結端子の説明図である。
【図１３】本発明の一実施形態における第１及び第２端子と回路基板の斜視図である。
【図１４】本発明の一実施形態の要部を示す斜視図である。
【発明を実施するための形態】
【００１６】
本発明の一実施形態による配線器具は、例えばスイッチモジュール１である。先ず、本実施形態の主要構成を説明する。なお、本発明は、スイッチモジュールに限定されない。例えば、本発明は、本実施形態と同様にいわゆる速結端子（速結端子構造）を備える壁コンセントにも適用可能である。
【００１７】
図１から３に示すように、スイッチモジュール１は、器体２と、器体２内に収納される、鎖錠ばね１３８、１４８及び１５８及び端子板１３０、１４０及び１５０とを含む。鎖錠ばね１３８、１４８及び１５８は、図２に示すように、互いに同一である。
【００１８】
本実施形態では、器体２は、第１方向Ｄ１の第１側に配置されるカバー４と、第１方向Ｄ１の第２側に配置されるボディ３から構成される。第１方向Ｄ１はスイッチモジュール１の奥行方向に対応し、カバー４の配置側である第１方向Ｄ１の第１側が前側を定める。要するに、本実施形態では、第１方向Ｄ１の第１側及び第２側が、それぞれ「前側」及び「後側」に対応する。図３の例では、右上及び左下側がそれぞれ第１方向Ｄ１の第１及び第２側に対応する。
【００１９】
器体２は、鎖錠ばね及び端子板を収納する端子収納室と、電線の導体が自己を介して端子収納室に挿入されるように構成される電線挿入口とを備える。本実施形態では、図４に示すように、第１方向Ｄ１と直交する第２方向Ｄ２に伸びるボディ３は、端子収納室３ａ、３ｂ、３ｃ及び３ｄと、端子収納室３ａ、３ｂ、３ｃ及び３ｄ内にそれぞれ連通する電線挿入口３e、３ｆ、３ｇ及び３ｈとを含む。
【００２０】
端子収納室３ａ及び３ｂと電線挿入口３ｅ及び３ｆは、第２方向Ｄ２の第１側に配置されている一方、端子収納室３ｃ及び３ｄと電線挿入口３ｇ及び３ｈは、第２方向Ｄ２の第２側に配置されている。本実施形態では、第２方向Ｄ２はスイッチモジュール１の幅方向に対応し、第２方向Ｄ２の第１側及び第２側は、それぞれ「右側」及び「左側」に対応する。
【００２１】
端子収納室３ａ及び電線挿入口３ｅは、第１及び第２方向Ｄ１及びＤ２と直交する第３方向の第１側に配置されている一方、端子収納室３ｂと電線挿入口３ｆは、第３方向の第２側に配置されている。また、端子収納室３ｃと電線挿入口３ｇは、第３方向Ｄ３の第１側に配置されている一方、端子収納室３ｄと電線挿入口３ｈは、第３方向Ｄ３の第２側に配置されている。本実施形態では、第３方向Ｄ３は、スイッチモジュール１の高さ方向に対応し、第３方向Ｄ３の第１及び第２側は、それぞれ「上側」及び「下側」に対応する。
【００２２】
図２の例では、鎖錠ばね１３８、１４８及び１５８は、それぞれ、中央片１３８ａ、１４８ａ及び１５８ａ、接触片１３８ｂ、１４８ｂ及び１５８ｂ、及び鎖錠片１３８ｃ、１４８ｃ及び１５８ｃを一体に有している。
【００２３】
中央片１３８ａ、１４８ａ及び１５８ａの各々は、例えば、一の方向（第１方向Ｄ１）に伸びる矩形平状である。接触片１３８ｂ、１４８ｂ及び１５８ｂの各々は、例えば、Ｓ状断面を持ち、対応する中央片の第１端から、対応する中央片の一の面の側に延出されている。
【００２４】
例えば、鎖錠片１３８ｃは、屈曲部１３８ｄ及び矩形平状部１３８ｅからなる。鎖錠片１４８ｃは、屈曲部１４８ｄ及び矩形平状部１４８ｅからなる。鎖錠片１５８ｃは、屈曲部１５８ｄ及び矩形平状部１５８ｅからなる。屈曲部１３８ｄは、対応する中央片１３８ａの第２端から、その対応する中央片１３８ａの上記一の面の側に延出（屈曲）されている。屈曲部１４８ｄは、中央片１４８ａの第２端から、中央片１４８ａの上記一の面の側に延出（屈曲）されている。屈曲部１５８ｄは、中央片１５８ａの第２端から、中央片１５８ａの上記一の面の側に延出（屈曲）されている。矩形平状部１３８ｅ、１４８ｅ及び１５８ｅの各々は、対応する屈曲部から延出されている。
【００２５】
端子板１３０、１４０及び１５０の各々は、上記一の方向と直交する方向（第２方向Ｄ２）に伸びる連結部と、その連結部の両端から互いに平行に延出される当接片及び押さえ片とを一体に有している。
【００２６】
本実施形態では、第３方向Ｄ３の第１側における端子板１３０の片側部分が、１個の鎖錠ばね１３８とともに端子収納室３ａに収納される。以下、その片側部分を「第１速結端子板」という。第１速結端子板は、押さえ片としての第１平片１３３及び当接片としての第２平片１３４と、第１及び第２平片１３３及び１３４間の連結部（第１連結片１３２の一部）とを一体に有している。
【００２７】
第３方向Ｄ３の第２側における端子板１３０の片側部分が、１個の鎖錠ばね１３８とともに端子収納室３ｂに収納され、以下、「第２速結端子板」という。第２速結端子板は、押さえ片としての第３平片１３５及び当接片としての第４平片１３６と、第３及び第４平片１３５及び１３６間の連結部（第１連結片１３２の一部）とを一体に有している。
【００２８】
端子板１５０は、当接片としての第１平片１５３及び押さえ片としての第２平片１５４と、第１及び第２平片１５３及び１５４間の連結片１５２の部分（連結部）とを一体に有している。以下、第１平片１５３、第２平片１５４及びこれらの間の連結部を「第３速結端子板」という。
【００２９】
端子板１４０は、当接片としての第１平片１４５及び押さえ片としての第２平片１４６と、第１及び第２平片１４５及び１４６間の連結片１４２の部分（連結部）とを一体に有している。以下、第１平片１４５、第２平片１４６及びこれらの間の連結部を「第４速結端子板」という。
【００３０】
本実施形態では、図１に示すように、第２速結端子板及び鎖錠ばね１３８は、
・第３平片１３５（押さえ片）側における連結部（第１連結片１３２）の一部が電線挿入口３ｆに面した状態で第４平片１３６（当接片）及び第３平片１３５が端子板１３０の連結部の両端から電線挿入口３ｆの側に伸びるように、且つ
・中央片１３８ａが第４平片１３６に接触した状態で接触片１３８ｂが連結部の側に位置し、鎖錠片１３８ｃが第４平片１３６及び第３平片１３５の両先端間に位置するように
端子収納室３ｂ内に収納される。
【００３１】
同様に、第１速結端子板及び鎖錠ばね１３８も端子収納室３ａ内に収納される。
【００３２】
第４速結端子板及び鎖錠ばね１４８は、
・第２平片１４６（押さえ片）側における連結部（連結片１４２）の一部が電線挿入口３ｈに面した状態で第１平片１４５（当接片）及び第２平片１４６が連結部の両端から電線挿入口３ｈの側に伸びるように、且つ
・中央片１４８ａが第１平片１４５に接触した状態で接触片１４８ｂが連結部の側に位置し、鎖錠片１４８ｃが第１平片１４５及び第２平片１４６の両先端間に位置するように
端子収納室３ｄ内に収納される。
【００３３】
同様に、第３速結端子板及び鎖錠ばね１５８も端子収納室３ｃ内に収納される。本実施形態の特徴については後述する。
【００３４】
図５及び６は、本実施形態におけるスイッチモジュール１を含む壁スイッチの第１具体例を示す。第１具体例では、壁スイッチは、スイッチモジュール１及びピアノハンドル（操作パドル）５を含む。ピアノハンドル５は、第１方向Ｄ１の第１側に配置される一方、スイッチモジュール１は、第１方向Ｄ１の第２側に配置される。
【００３５】
第１具体例において、スイッチモジュール１は、取付枠６及び壁プレート７を用いて、ピアノハンドル５とともに壁などの造営面に設置される。なお、本発明の壁スイッチは、取付枠６及び壁プレート７を更に含んでもよい。
【００３６】
ピアノハンドル５は、壁プレート７の開口９１に対応する矩形状に形成され、第１方向Ｄ１の第１側、即ち前側におけるスイッチモジュール１の面（前面）に着脱自在に取り付けられる。一例において、ピアノハンドル５は、後述のカバー４の前面に着脱自在に取り付けられる。本実施形態の壁スイッチは、ピアノハンドル５がスイッチモジュール１の前面に着脱自在に取り付けられ、これらは、ピアノハンドル式スイッチを構成する。
【００３７】
取付枠６は、右側、左側、上側及び下側にそれぞれ第１側部６１、第２側部６２、第３側部６３及び第４側部６４を有し、第３方向Ｄ３に伸びる矩形状の開口６５を持つ矩形枠状に形成されている。取付枠６は、特許文献１と同様に、第１及び第２側部６１及び６２に３個のスイッチモジュール１を第３方向Ｄ３に沿って取り付けるための取付構造を持つ。例えば、第１側部６１の複数の取付孔６１１と第２側部６２の複数の取付孔６２１が取付構造を構成する。取付枠６は、第１及び第２側部６１及び６２が第３及び第４側部６３及び６４よりも全体的に後側にセットバックされるように、屈曲されている点で、特許文献１と異なる。取付枠６は、第１及び第２側部６１及び６２の各々の屈曲構造以外は特許文献１の取付枠と同様に構成されるので、ここでは詳細に説明しない。
【００３８】
壁プレート７は、例えば、プレート枠８及び化粧プレート９により構成される。壁プレート７は、第３方向Ｄ３に伸びる矩形状の開口９１を持つ。つまり、プレート枠８が、化粧プレート９の開口９１よりも大きな開口８１を持つことにより、壁プレート７は、開口９１を持つ。壁プレート７は、上記特許文献１と同様であるので、ここでは詳細に説明しない。
【００３９】
第１具体例におけるスイッチモジュール１の造営面への設置手順を説明する。例えば、プレート枠８が第１固定具（例えば２個のねじ（図示せず））で取付枠６に固定されているとき、スイッチモジュール１が、取付枠６の中央部に着脱自在に取り付けられる。次いで、ピアノハンドル５がスイッチモジュール１の前面に着脱自在に取り付けられ、取付枠６が第２固定具（例えば２つのねじ（図示せず））で造営面に固定される。次いで、化粧プレート９が、前側におけるプレート枠８の面（前面）に着脱自在に取り付けられる。
【００４０】
図７は、本実施形態におけるスイッチモジュール１を含む壁スイッチの第２具体例を示す。第２具体例では、壁スイッチは、２個のスイッチモジュール１及び２個のピアノハンドル５Ａを含む。各ピアノハンドル５Ａは、第３方向Ｄ３に沿った壁プレート７の開口９１の半分の寸法となる形状を持つ。
【００４１】
第２具体例におけるスイッチモジュール１の造営面への設置手順を説明する。例えば、プレート枠８が第１固定具で取付枠６に固定されているとき、２個のスイッチモジュール１が、取付枠６の上側と下側に着脱自在に取り付けられる。次いで、２個のピアノハンドル５Ａが、２個のスイッチモジュール１の前面に着脱自在に取り付けられ、取付枠６が第２固定具で造営面に固定される。次いで、化粧プレート９が、プレート枠８の前面に着脱自在に取り付けられる。
【００４２】
図８は、本実施形態におけるスイッチモジュール１を含む壁スイッチの第３具体例を示す。第３具体例では、壁スイッチは、３個のスイッチモジュール１及び３個のピアノハンドル５Ｂを含む。各ピアノハンドル５Ｂは、第３方向Ｄ３に沿った壁プレート７の開口９１の３分の１の寸法となる形状を持つ。
【００４３】
第３具体例におけるスイッチモジュール１の造営面への設置手順を説明する。例えば、プレート枠８が第１固定具で取付枠６に固定されているとき、３個のスイッチモジュール１が、取付枠６の上側、中央部及び下側に着脱自在に取り付けられる。次いで、３個のピアノハンドル５Ｂが、３個のスイッチモジュール１の前面に着脱自在に取り付けられ、取付枠６が第２固定具で造営面に固定される。次いで、化粧プレート９が、プレート枠８の前面に着脱自在に取り付けられる。
【００４４】
本実施形態におけるスイッチモジュール１の具体例を説明する。本実施形態では、図１及び３に示すように、スイッチモジュール１は、押釦１０、反転機構１１及び可動接点板１２に加えて、器体２、第１端子１３、第２端子１４、第３端子１５、復帰ばね１９及び回路基板２０を更に含む。反転機構１１は、反転ばね１１Ａに加えて、反転ハンドル１６、スライドカム１７及びばね片１８を更に含む。
【００４５】
反転ばね１１Ａ、可動接点板１２、第１端子１３、第２端子１４、第３端子１５、反転ハンドル１６及び回路基板２０は、器体２に収納される。押釦１０は、スライドカム１７、ばね片１８及び復帰ばね１９とともに第１方向Ｄ１の第１側における器体２の面（前面）に取り付けられる。
【００４６】
先ず、器体２について説明する。器体２は、第２方向Ｄ２に伸びる直方体状であり、ボディ３及びカバー４により構成される。ボディ３及びカバー４の各々は合成樹脂成形品である。
【００４７】
ボディ３は、後側、右側、左側、上側及び下側にそれぞれ基部３０、第１側部３１、第２側部３２、第３側部３３及び第４側部３４を有し、第２方向Ｄ２に伸びる矩形状の前面開口を持つ箱状に形成されている。カバー４は、前側、右側、左側、上側及び下側にそれぞれ基部４０、第１側部４１、第２側部４２、第３側部４３及び第４側部４４を有し、第２方向Ｄ２に伸びる矩形状の後面開口を持つ箱状に形成されている。
【００４８】
ボディ３において、第３側部３３は、第２方向Ｄ２の第１及び第２側にそれぞれ第３方向の第１側に突出する第１及び第２突起３３１及び３３３を有する。同様に、第４側部３４は、第２方向Ｄ２の第１及び第２側にそれぞれ第３方向の第２側に突出する第３及び第４突起３４１及び３４３を有する（後述の図１４参照）。
【００４９】
カバー４において、第３側部４３は、第１方向Ｄ１の第２側に（後方に）突出する第１及び第２平片４３１及び４３３を有するＣ（角括弧）状に形成されている。第４側部４４は、後方に突出する第３及び第４平片４４１及び４４３を有するＣ（角括弧）状に形成されている。平片４３１、４３３、４４１及び４４３には、それぞれ第１、第２、第３及び第４孔４３２、４３４、４４２及び４４４が形成されている。
【００５０】
つまり、ボディ３及びカバー４は、第１、第２、第３及び第４突起３３１、３３３、３４１及び３４３が、それぞれ、第１、第２、第３及び第４孔４３２、４３４、４４２及び４４４に挿入されるように形成される。従って、ボディ３及びカバー４を結合することができ、その結果、器体２を構成することができる。
【００５１】
図３及び５に示すように、第１側部４１は、取付枠６の第１側部６１における隣り合う２個の取付孔６１１に挿入されるべき２個の爪４１１を有する。また、第２側部４２は、取付枠６の第２側部６２における隣り合う２個の取付孔６２１に挿入されるべき２個の爪４２１を有する。従って、各爪４１１を対応する取付孔６１１に挿入し、各爪４２１を対応する取付孔６２１に挿入することにより、スイッチモジュール１を取付枠６に取り付けることができる。
【００５２】
図１に示すように、ボディ３は、第２方向Ｄ２の第１及び第２側にそれぞれ第１及び第２収納室３７及び３８を形成する第１及び第２隔壁３５及び３６を有し、第１及び第２隔壁３５及び３６は、第１及び第２収納室３７及び３８の間に中央収納室３９を形成するように互いに離隔されている。
【００５３】
第１端子１３の一部は器体２内の中央収納室３９に収納され、第１端子１３の残部は器体２内の第１収納室３７に収納される。第２端子１４の一部及び第３端子１５の一部は器体２内の中央収納室３９に収納され、第２端子１４の残部及び第３端子１５の残部は器体２内の第２収納室３８に収納される。
【００５４】
図２及び３に示すように、第１端子１３は、可動接点板１２の第２端１２２を支持する支持片１３１を含む。図２の例では、第１端子１３は、端子板１３０、２個の鎖錠ばね１３８及び解除釦１３９により構成されている。第２端子１４は、固定接点（第１固定接点）１４１を含み、端子板１４０及び鎖錠ばね１４８により構成されている。第３端子１５は、固定接点（第２固定接点）１５１を含み、端子板１５０及び鎖錠ばね１５８により構成されている。また、スイッチモジュール１は、解除釦１４９を含み、これは、第２及び第３端子１４及び１５により兼用されている。
【００５５】
第１端子１３において、端子板１３０は、支持片１３１、第１連結片１３２、第１平片１３３、第２平片１３４、第３平片１３５、第４平片１３６及び第２連結片１３７を一体に有している。第１〜第４平片１３３〜１３６は、第１及び第３平片１３３及び１３５がそれぞれ第２及び第４平片１３４及び１３６と対向するように、第３方向Ｄ３に伸びる第１連結片１３２の両端側から後方に突出（屈曲）されている。第２連結片１３７は、Ｌ状断面を持ち、第２及び第４平片１３４及び１３６間に介在し第２連結片１３７の先端が左方に伸びるように、第１連結片１３２から後方に突出されている。支持片１３１は、矩形平状に形成され、第３方向Ｄ３に伸びるように第２連結片１３７の先端に一体に連結されている。より詳しくは、第１及び第２平片１３３及び１３４は、上側に配置されている一方、第３及び第４平片１３５及び１３６は、下側に配置されている。また、第１及び第３平片１３３及び１３５は、右側に配置されている一方、第２及び第４平片１３４及び１３６と第２連結片１３７は、左側に配置されている。
【００５６】
第２端子１４において、端子板１４０は、固定接点（第１固定接点）１４１、連結片１４２、第１平片１４５、第２平片１４６及び固定接点片（第１固定接点片）１４７を一体に有している。第１及び第２平片１４５及び１４６は、第１平片１４５が第２平片１４６と対向するように、第２方向Ｄ２に伸びる連結片１４２の両端側から後方に突出（屈曲）されている。図２の例では、固定接点片１４７は、Ｊ又はＵ状に形成され、連結片１４２から第１平片１４５とともに後方に突出され、固定接点片１４７の先端側は、第１方向Ｄ１の第１側に（前方に）屈曲している。固定接点１４１は、第２方向Ｄ２の第１側における固定接点片１４７の面に配置されている。より詳しくは、図３に示すように、第２端子１４は、下側に配置されている一方、第３端子１５は、上側に配置されている。また、第１平片１４５及び固定接点片１４７は右側に配置されている一方、第２平片１４６は左側に配置されている。
【００５７】
図２及び３に示すように、第３端子１５において、端子板１５０は、固定接点（第２固定接点）１５１、連結片１５２、第１平片１５３、第２平片１５４及び固定接点片（第２固定接点片）１５７を一体に有している。第１及び第２平片１５３及び１５４は、第１平片１５３が第２平片１５４と対向するように、第２方向Ｄ２に伸びる連結片１５２の両端側から後方に突出（屈曲）されている。固定接点片１５７は、Ｌ状断面を持ち、固定接点片１５７の先端が第２端子１４の固定接点１４１に面するように、第１平片１５３から右方に突出されている。固定接点１５１は、第２方向Ｄ２の第２側における固定接点片１５７の先端面に配置されている。より詳しくは、第１平片１５３及び固定接点片１５７は右側に配置されている一方、第２平片１５４は左側に配置されている。
【００５８】
図１及び２に示すように、第１端子１３の一部である支持片１３１は、ボディ３の中央収納室３９に収納される一方、第１端子１３の残部は、ボディ３の第１収納室３７に収納される。２個の鎖錠ばね１３８の一方は、第１及び第２平片１３３及び１３４の間に配置される一方、他方は、第３及び第４平片１３５及び１３６の間に配置される。解除釦１３９は、２個の鎖錠ばね１３８の一部（鎖錠片）を前方に屈曲することができるように２個の鎖錠ばね１３８の間に配置される。
【００５９】
同様に、第２端子１４の一部である固定接点片１４７及び第３端子１５の一部である固定接点片１５７は、ボディ３の中央収納室３９に収納される一方、第２端子１４の残部及び第３端子１５の残部は、第２収納室３８に収納される。鎖錠ばね１４８は、第１及び第２平片１４５及び１４６の間に配置される一方、鎖錠ばね１５８は、第１及び第２平片１５３及び１５４の間に配置される。解除釦１４９は、２個の鎖錠ばね１４８及び１４９の各一部（鎖錠片）を前方に屈曲することができるように２個の鎖錠ばね１４８及び１５８の間に配置される。
【００６０】
鎖錠ばね１３８、１４８及び１５８は互いに同一である。また、鎖錠ばね１３８、１４８及び１５８の各々は、特許文献１と同様である。解除釦１３９及び１４９も互いに同一である。また、解除釦１３９及び１４９の各々は、特許文献１と同様であるので、ここでは詳細に説明しない。
【００６１】
図２に示すように、回路基板２０は、例えば、インサート成形品であり、第１端子２０１、第２端子２０２及び光源（第１光源）２０４を含む（後述の図１４参照）。光源２０４は、第１及び第２端子２０１及び２０２間に接続される回路（第１回路）に含まれる。本実施形態の回路基板２０は、図１４の実施形態の回路基板２０と共通である。例えば、第１回路は、光源２０４と、複数の抵抗２０５とを含む直列回路である。光源２０４は、例えばＬＥＤ（発光ダイオード）であり、詳しくは緑色ＬＥＤである。
【００６２】
回路基板２０は、第１及び第２端子２０１及び２０２がそれぞれ端子板１５０及び１４０に接触するように、器体２内に収納される。図１の例では、第２端子２０２は端子板１４０の連結片１４２に接触している。同様に、第１端子２０１は端子板１５０の連結片１５２に接触している。
【００６３】
反転ばね１１Ａ、可動接点板１２及び反転ハンドル１６は、器体２の中央収納室３９に収納される。図３の例では、反転ばね１１Ａは、圧縮コイルばねである。
【００６４】
可動接点板１２は、第３方向Ｄ３の第１側及び第２側にそれぞれ第３端１２３及び第４端１２４を更に有する。本実施形態では、可動接点板１２は、屈曲部を持たない平板状になっている。
【００６５】
図１及び４に示すように、器体２は、可動接点板１２の第１端１２１の側が第２方向Ｄ２に沿って反転自在になるように可動接点板１２を支持する第１及び第２凹部３９１及び３９２を更に含む。図１及び４の例では、第１及び第２凹部３９１及び３９２は、ボディ３の中央収納室３９内に形成されている。また、第１及び第２凹部３９１及び３９２の各々は、第１方向Ｄ１の第２側から第１側に徐々に広くなる形状（三角形状）に形成されている。第３方向Ｄ３の第１側における可動接点板１２の第３端１２３の後側が第１凹部３９１によって支持されている一方、第３方向Ｄ３の第２側における可動接点板１２の第４端１２４の後側が第２凹部３９２によって支持されている。
【００６６】
図３及び４に示すように、可動接点板１２は、金属などの平板状の電気導電体であり、第２方向Ｄ２の第１側及び第２側にそれぞれ第１面１２５及び第２面１２６を有する。また、可動接点板１２は、第１端１２１の上側及び下側からそれぞれ前側に突出する第１突片１２７及び第２突片１２８を更に含む。第１突片１２７は、後側における反転ばね１１Ａの端部（後端部）に挿入される。第２突片１２８は、第１及び第２面１２５及び１２６にそれぞれ可動接点（第２可動接点）１２Ｂ及び可動接点（第１可動接点）１２Ａを有している。
【００６７】
図３及び９に示すように、器体２は、反転ハンドル１６を第２方向Ｄ２に沿って反転自在に支持する第３及び第４凹部４０３及び４０４を更に含む。図３及び９の例では、カバー４は、後方にセットバックされた凹所４００を前側における基部４０に有している。また、カバー４は、凹所４００の底から前方に突出された第１及び第２突出部４０１及び４０２を有する。第１及び第２突出部４０１及び４０２は、第３方向Ｄ３の第１及び第２側にそれぞれ対向配置されている。第３凹部４０３は、第２突出部４０２に面するように第１突出部４０１に具備されている。第４凹部４０４は、第１突出部４０１に面するように第２突出部４０２に具備されている。第３及び第４凹部４０３及び４０４の各々は、第１方向の第１側から第２側に徐々に広くなる形状（三角形状）に形成されている。更に、カバー４は、第１及び第２突出部４０１及び４０２の間に形成された開口４０５を有している。開口４０５は、第２方向Ｄ２に伸びる矩形状になっている。
【００６８】
図１及び９に示すように、カバー４は、第２方向Ｄ２の第１及び第２側における凹所４００の端にそれぞれ第１及び第２ガイド孔４０６及び４０７を有している。カバー４は、第２方向Ｄ２の第１側における凹所４００の内面の一部に矩形孔４０８を有し、第１ガイド孔４０６は矩形孔４０８に連通している。つまり、矩形孔４０８は第１ガイド孔４０６に含まれる。また、カバー４は、第２方向Ｄ２の第２側における凹所４００の内面の一部に矩形状の凹所４０９を有し、第２ガイド孔４０７は、凹所４０９に連通している。つまり、凹所４０９は第２ガイド孔４０７に含まれる。
【００６９】
反転ハンドル１６は、開口を有する筒状に形成され、反転ばね１１Ａが反転ハンドル１６内に配置される。図１及び３の例では、反転ばね１１Ａは、反転ばね１１Ａの後端が反転ハンドル１６からはみ出すように、反転ハンドル１６内に配置されている。反転ハンドル１６は、第１及び第２支点突起１６１及び１６２と、第１及び第２反転突起１６３及び１６４とを含む。
【００７０】
第１及び第２支点突起１６１及び１６２は、器体２の第３及び第４凹部４０３及び４０４内にそれぞれ位置するように、第３方向Ｄ３の第１及び第２側における反転ハンドル１６の部分に形成されている。
【００７１】
第１及び第２反転突起１６３及び１６４は、第２方向Ｄ２の第１及び第２側における反転ハンドル１６の先端の２カ所から前方に突出されている。つまり、第１及び第２反転突起１６３及び１６４は、第１及び第２支点突起１６１及び１６２よりも前側に配置されている。
【００７２】
器体２の組立てについて説明する。先ず、上述の如く、第１端子１３、第２端子１４、第３端子１５、回路基板２０及び可動接点板１２が、ボディ３内に収納される。また、反転ばね１１Ａが反転ハンドル１６内に挿入される。次いで、可動接点板１２の第１突片１２７が反転ばね１１Ａの後端部に嵌入されて、反転ハンドル１６が可動接点板１２に載置される。次いで、反転ハンドル１６の第１及び第２支点突起１６１及び１６２がそれぞれ第３及び第４凹部４０３及び４０４内に挿入されるように、カバー４がボディ３に結合される。このように器体２の組立てが行われると、器体２内に収納された反転ハンドル１６の第１及び第２反転突起１６３及び１６４側（反転ハンドル１６の前部）が器体２の開口４０５を介して器体２の凹所４００内に配置される。
【００７３】
次に、押釦１０、スライドカム１７、ばね片１８及び復帰ばね１９について説明する。押釦１０、スライドカム１７、ばね片１８及び復帰ばね１９は、ばね片１８がスライドカム１７を押釦１０の中央側に付勢し、また復帰ばね１９が押釦１０を第１方向Ｄ１の第１側に付勢するように、器体２の前面に取り付けられる。
【００７４】
図３に示すように、押釦１０は、前側、右側、左側、上側及び下側にそれぞれ基部１００、第１側部１０１、第２側部１０２、第３側部１０３及び第４側部１０４を有し、第２方向Ｄ２に伸びる矩形状の後面開口を持つ箱状に形成されている。第１側部１０１は、両端部から分離された中央部を含み、カバー４の第１ガイド孔４０６の矩形孔４０８内に配置される爪１０５を第１側部１０１の中央部の先端に有している。第２側部１０２は、両端部から分離された中央部を含み、カバー４の第２ガイド孔４０７の凹所４０９内に配置される爪１０６を第２側部１０２の中央部の先端に有している。従って、押釦１０が第１方向Ｄ１に沿って移動自在になるように、押釦１０をカバー４の凹所４００に取り付けることができる。
【００７５】
図１０に示すように、スライドカム１７は、第１及び第２反転突起１６３及び１６４を交互に第１方向の第２側に押すための第１及び第２片（カム片）１７１及び１７２をそれぞれ有している。本実施形態では、第１及び第２片１７１及び１７２は、
(a) 第１片１７１が前側の第１反転突起１６３を押すにつれて、第１片１７１は、第２反転突起１６４の内側から両反転突起間の中心の方にスライドする第２片１７２とともにスライドし、
(b) 第２片１７２が前側の第２反転突起１６４を押すにつれて、第２片１７２は、第１反転突起１６３の内側から両反転突起間の中心の方にスライドする第１片１７１とともにスライドする
ように互いに離隔される。
【００７６】
ばね片１８は、スライドカム１７を押釦１０の中央側に付勢する第１及び第２ばね片１８１及び１８２を有している。
【００７７】
図１０の例では、第１及び第２ばね片１８１及び１８２は、それぞれ第２方向Ｄ２の第１及び第２側に配置され、スライドカム１７は、第１及び第２ばね片１８１及び１８２によって、第２方向Ｄ２における押釦１０の中央側に付勢される。詳しくは、ばね片１８は連結片１８３を更に有している。第１及び第２ばね片１８１及び１８２は、第１及び第２ばね片１８１及び１８２の先端がスライドカム１７の第４片１７４の両端を保持するように、連結片１８３によって保持されている。また、ばね片１８は、第１及び第２ばね片１８１及び１８２と連結片１８３を一体に有している。
【００７８】
復帰ばね１９は、押釦１０の基部１００の内面に配置されたスライドカム１７を、スライドカム１７が基部１００の内面に沿って移動自在になるように、押さえる押え片１９０と、押釦１０を第１方向Ｄ１の第１側に付勢する付勢片１９５とを有している。
【００７９】
図１０の例では、押釦１０の基部１００の内面に配置されたスライドカム１７は、スライドカム１７が第２方向Ｄ２に移動自在になるように、押え片１９０によって、押釦１０の基部１００の内面に保持される。また、復帰ばね１９は、押え片１９０及び付勢片１９５を一体に有している。
【００８０】
押え片１９０は、反転ハンドル１６の第１及び第２反転突起１６３及び１６４が中を通過する枠状（四角い枠状）に形成されている。詳しくは、押え片１９０は、右側、左側、上側及び下側にそれぞれ第１側部１９１、第２側部１９２、第３側部１９３及び第４側部１９４を有している。また、押え片１９０は、第３及び第４側部１９３及び１９４の間に中間片１９ａを更に有し、第１及び第２反転突起１６３及び１６４がそれぞれ通過する第１及び第２孔１９ｂ及び１９ｃを有している。
【００８１】
付勢片１９５は、弓状の第１及び第２ばね片を有し、第１及び第２ばね片の各中央部が押釦１０の内面に固定されることにより、第１及び第２ばね片によって押釦１０を第１方向の第１側に付勢するように構成される。また、上記押え片１９０の第３側部１９３及び第４側部１９４は、第１及び第２ばね片の間に配置される。更に、第１ばね片の内縁中央部は、押え片１９０の第３側部１９３の外縁中央部に一体に結合される一方、第２ばね片の内縁中央部は、押え片１９０の第４側部１９４の外縁中央部に一体に結合される。
【００８２】
図１０の例では、付勢片１９５は、右側、左側、上側及び下側にそれぞれ第１側部１９６、第２側部１９７、第３側部１９８及び第４側部１９９を有し、第３及び第４側部１９８及び１９９がそれぞれ上記第１及び第２ばね片に対応する。つまり、付勢片１９５は、第１及び第２孔１９ｂ及び１９ｃよりも大きい孔を持つ枠状（四角い枠状）に形成されている。なお、第１及び第２側部１９６及び１９７はオプションである。
【００８３】
次に、図３に示す部材の器体２への取付けについて説明する。先ず、スライドカム１７は、押釦１０の基部１００の内面に配置される。次いで、第４片１７４の両端が第１及び第２ばね片１８１及び１８２の先端で保持された状態で、ばね片１８の連結片１８３が押釦１０の基部１００の内面に固定される。次いで、復帰ばね１９における付勢片１９５の第３及び第４側部１９８及び１９９の各中央部が押釦１０の基部１００の内面に固定される。次いで、スライドカム１７、ばね片１８及び復帰ばね１９を有する押釦１０は、カバー４の凹所４００に取り付けられる。
【００８４】
上記スイッチモジュール１の反転動作を説明する。図１に示すように、可動接点１２Ａが固定接点１４１に接触しているとき、反転ハンドル１６の第２反転突起１６４は第１反転突起１６３よりも前方に位置する。この場合、押釦１０が復帰ばね１９によって第１方向Ｄ１の第１側に付勢された状態で、押釦１０の爪１０５及び１０６が、それぞれカバー４の第１及び第２ガイド孔４０６及び４０７の各前縁に係止されている。つまり、押釦１０は最前位置にある。また、スライドカム１７は、ばね片１８によって第２方向Ｄ２における押釦１０の中央側に位置する。
【００８５】
図１の状態から、押釦１０が、例えばピアノハンドル５を介して第１方向Ｄ１の第２側に押されると、スライドカム１７は、第２片１７２が前方に位置する第２反転突起１６４を押し、また第１片１７１が第１反転突起１６３から離れながら、第２方向Ｄ２にスライドする。図１の例では、第２片１７２は第２反転突起１６４よりも左側に位置しており、反転ハンドル１６が反転するのに伴って、スライドカム１７は左側にスライドされる。その間に、スライドカム１７の第２片１７２が第２反転突起１６４を第１方向Ｄ１の第２側に押すので、第１反転突起１６３が第２反転突起１６４よりも前方に位置するように反転ハンドル１６が反転し、同時に可動接点板１２も反転する。その結果、可動接点１２Ａは固定接点１４１から離され、可動接点１２Ｂが固定接点１５１に接触する。その後、ピアノハンドル５を押すのを止めると、押釦１０は、復帰ばね１９によって、ピアノハンドル５とともに元の位置に復帰し、またスライドカム１７もばね片１８によって元の位置に復帰する。
【００８６】
その後、押釦１０が、ピアノハンドル５を介して第１方向Ｄ１の第２側に押されると、スライドカム１７は、第１片１７１が前方に位置する第１反転突起１６３を押し、また第２片１７２が第２反転突起１６４から離れながら、第２方向Ｄ２にスライドする。第１片１７１は第１反転突起１６３よりも右側に位置しており、反転ハンドル１６が反転するのに伴って、スライドカム１７は右側にスライドされる。その間に、スライドカム１７の第１片１７１が第１反転突起１６３を第１方向Ｄ１の第２側に押すので、第２反転突起１６４が第１反転突起１６３よりも前方に位置するように反転ハンドル１６が反転し、同時に可動接点板１２も反転する。その結果、可動接点１２Ｂは固定接点１５１から離され、可動接点１２Ａが固定接点１４１に接触する。その後、ピアノハンドル５を押すのを止めると、押釦１０は、復帰ばね１９によって、ピアノハンドル５とともに元の位置に復帰し、またスライドカム１７もばね片１８によって元の位置に復帰する。
【００８７】
本実施形態の特徴について説明する。図１１において、２ａは端子収納室３ａ、３ｂ、３ｃ及び３ｄの各々を示し、２ｂは端子収納室２ａ内に収納される鎖錠ばね１３８、１４８及び１５８の何れかを示す。また、２ｃ、２ｄ、２ｅ、２ｆ及び２ｇは、それぞれ、鎖錠ばね２ａの中央片、接触片、鎖錠片、屈曲部及び矩形平状部を示す一方、２ｈ、２ｉ及び２ｊは、それぞれ、端子収納室２ａ内に収納される当接片、押さえ片及び連結部を示し、これらは、速結端子板２ｋを構成する。２ｍは、端子収納室２ａに連通する電線挿入口である。
【００８８】
本実施形態の速結端子板２ｋは、端子収納室２ａ内に収納される当接片２ｈ、押さえ片２ｉ及び連結部２ｊからなる。例えば、図３の端子板１４０は、速結端子板２ｋに加えて固定接点片１４７を更に含むが、固定接点片１４７は、端子収納室２ａ内に収納されない。同様に、端子板１５０は、速結端子板２ｋに加えて、固定接点片１５７を更に含むが、固定接点片１５７は、端子収納室２ａ内に収納されない。要するに、本実施形態の速結端子板２ｋは、当接片２ｈ、押さえ片２ｉ及び連結部２ｊのみからなり、端子板１３０、１４０及び１５０の各々に含まれる。
【００８９】
本実施形態の配線器具は、第１〜第３端子１３〜１５を備えるスイッチモジュール１である。
【００９０】
図２の例に示すように、第１端子１３は、上述の第１及び第２速結端子板を含む端子板１３０と、２個の鎖錠ばね１３８と、解除釦１３９とにより構成され、第１及び第２速結端子板の各々が上記速結端子板２ｋに対応する。即ち、端子板１３０は、支持片１３１、第１連結片１３２、第１〜第４平片１３３〜１３６、及び第２連結片１３７を一体に含む。第１平片１３３、第２平片１３４、及び第１連結片１３２の一部が、それぞれ、押さえ片２ｉ、当接片２ｈ、及び連結部２ｊに対応し、第１速結端子板を構成する一方、第３平片１３５、第４平片１３６、及び第１連結片１３２の一部が、それぞれ、押さえ片２ｉ、当接片２ｈ、及び連結部２ｊに対応し、第２速結端子板を構成する。なお、解除釦１３９がなくても、電線の導体を所定の電線挿入口から端子収納室内に挿入するだけで、導体を速結端子に電気的及び機械的に接続することができるので、解除釦１３９はオプションである。同様に、解除釦１４９もオプションである。
【００９１】
第３端子１５は、上述の第３速結端子板を含む端子板１５０と、鎖錠ばね１５８とにより構成され、第３速結端子板が速結端子板２ｋに対応する。即ち、端子板１５０は、固定接点１５１、連結片１５２、第１及び第２平片１５３及び１５４、及び固定接点片１５７を一体に含む。第１平片１５３、第２平片１５４、及びこれらの間の連結片１５２が、それぞれ、当接片２ｈ、押さえ片２ｉ、及び連結部２ｊに対応し、第３速結端子板を構成する。
【００９２】
第２端子１４は、上述の第４速結端子板を含む端子板１４０と、鎖錠ばね１４８とにより構成され、第４速結端子板が速結端子板２ｋに対応する。即ち、端子板１４０は、固定接点１４１、連結片１４２、第１及び第２平片１４５及び１４６、及び固定接点片１４７を一体に含む。第１平片１４５、第２平片１４６、及びこれらの間の連結片１４２が、それぞれ、当接片２ｈ、押さえ片２ｉ、及び連結部２ｊに対応し、第４速結端子板を構成する。
【００９３】
また、本実施形態では、器体２（ボディ３）は、端子収納室２ａにおいて、鎖錠ばね２ｂから見て押さえ片２ｉの反対の面と隙間を介して平行となる収納壁（第１収納壁）２５含む。収納壁２５は、収納壁２５と押さえ片２ｉの先端との間に凸部２６を有する。図１１の例では、凸部２６は、押さえ片２ｉの先端と鎖錠片２ｅの先端に対応する位置との間に設けられている。また、凸部２６は、平状の端面を持ち、これは、押さえ片２ｉに接触子している。更に、凸部２６は、電線挿入口２ｍから見て凸部２６の反対にガイド部２７を有し、ガイド部２７は、凸部２６から離れるにつれて徐々に低くなる斜面を持つ。速結端子板２ｋは、ガイド部２７によって端子収納室２ａ内の所定位置に案内されることになる。
【００９４】
押さえ片２ｉは、凸部２６から離れた位置における収納壁２５と押さえ片２ｉとの間に突起部２０ｉを有する。図１１の例では、突起部２０ｉは、中央片２ｃの中間部に対応する位置に設けられている。また、突起部２０ｉは半球状であり、突起部２０ｉの先端は収納壁２５に接触している。なお、速結端子板２ｋの当接片２ｈは、鎖錠ばね２ｂから見て当該当接片２ｈの反対に配置される器体２の収納壁２８と接触している。
【００９５】
本実施形態では、図１２（ａ）に示すように、電線９９の導体９９１を、電線挿入口２ｍを介して端子収納室２ａ内に挿入するだけで、導体９９１を、速結端子板２ｋ及び鎖錠ばね２ａで構成される速結端子に電気的及び機械的に接続することができる。
【００９６】
また、例えば屋内配線の施工時において、上記速結端子に接続された電線９９が比較的大きな引き抜き力を受けても、電線９９が端子収納室２ａから引き抜かれるのを防止することができる。図１２（ｂ）に示すように、そのような負荷が電線９９にかかると、鎖錠片２ｅの先端が導体９９１に食い込むことで、電線を引き抜く方向の負荷が収納壁２５の側に加わり、凸部２６と突起部２０ｉとの間の押さえ片２ｉ及び導体９９１の部分が湾曲する。その結果、電線９９が端子収納室２ａから引き抜かれるのを防止することができる。
【００９７】
一実施形態において、スイッチモジュール１は回路基板２０を有さない。つまり、回路基板２０はオプションである。
【００９８】
一実施形態において、スイッチモジュール１は、第１端子及び第２端子を含むが、第３端子１５含まない。第１端子は、可動接点板１２の第２端１２２を支持する支持片１３１を含む。第２端子は、可動接点板１２が第２方向Ｄ２の第１及び第２側の一方又は他方に反転したときにそれぞれ可動接点１２Ａと接触又は非接触となる固定接点１４１を含む。具体的には、スイッチモジュール１は、図３などに示す第２端子１４及び第３端子１５に代えて、図１３に示す第２端子１４Ａを有する。第２端子１４Ａは、固定接点１４１を含み、端子板１４０、２個の鎖錠ばね１４８及び解除釦１４９により構成されている。端子板１４０は、固定接点片１４７、連結片１４２、第１平片１４３、第２平片１４４、第３平片１４５及び第４平片１４６を一体に有している。第１〜第４平片１４３〜１４６は、第１及び第３平片１４３及び１４５がそれぞれ第２及び第４平片１４４及び１４６と対向するように、第３方向Ｄ３に伸びる連結片１４２の両端側から後方に突出（屈曲）されている。固定接点１４１は図３と同様に固定接点片１４７に具備されている。この実施形態は、回路基板２０を有さない上記実施形態に適用可能である。
【００９９】
図１３の例では、スイッチモジュールは、第１端子１３及び第２端子１４Ａを含む。第１端子１３は、図２の実施形態と同様である。第２端子１４Ａは、上述の第３及び第４速結端子板を含む端子板１４０と、２個の鎖錠ばね１４８と、解除釦１４９とにより構成され、第３及び第４速結端子板の各々が上記速結端子板２ｋに対応する。即ち、端子板１４０は、固定接点１４１、連結片１４２、第１〜第４平片１４３〜１４６、及び固定接点片１４７を一体に含む。第１平片１４３、第２平片１４４、及び連結片１４２の一部が、それぞれ、当接片２ｈ、押さえ片２ｉ、及び連結部２ｊに対応し、第３速結端子板を構成する一方、第３平片１４５、第４平片１４６、及び連結片１４２の一部（又は残部）が、それぞれ、当接片２ｈ、押さえ片２ｉ、及び連結部２ｊに対応し、第４速結端子板を構成する。
【０１００】
一実施形態において、図１４に示すように、スイッチモジュール１は、トランス２１、トランスケース２２及び中間部材２３を更に含む。
【０１０１】
トランス２１は、支持片１３１と端子板１３０との間に介在する１次巻き線２１１と、接続カバー２１３内の２次巻き線とを有する。本実施形態では、１次巻き線２１１が支持片１３１と端子板１３０との間に介在するので、支持片１３１は、端子板１３０から物理的に分離される。加えて、支持片１３１は、１次巻き線２１１の一端２１１ａと接続される接続片１３１ａを備える一方、端子板１３０は、第２連結片１３７に代えて、１次巻き線２１１の他端２１１ｂと接続される接続片１３７ａを備える。
【０１０２】
トランスケース２２は、トランスケース２２内のトランス２１の２次巻き線の両端と接続カバー２１３を介して電気的に接続される２本の導電ピン２２１を含む。２本の導電ピン２２１は、回路基板２０の２個の端子２０３（１個の端子２０３は隠れている）と電気的に接続される。回路基板２０は、光源（第２光源）２０６を更に含む。光源２０６は、２個の端子２０３間に接続される回路（第２回路）に含まれる。第２回路は、例えば、光源２０６及び抵抗２０７等を含む。光源２０６は、例えばＬＥＤであり、詳しくは赤色ＬＥＤである。
【０１０３】
トランス２１及びトランスケース２２は、器体２（ボディ３）内の中央収納室３９内に収納される。このため、本実施形態におけるボディ３の基部３０の中間部分は、トランス２１及びトランスケース２２用の収納室を確保するように、第１方向Ｄ１の第２側にセットバックされる。図１４の例では、基部３０の中間部分は、トランス２１、トランスケース２２及び中間部材２３用の収納室を確保するように、第１方向Ｄ１の第２側にセットバックされている。中間部材２３は、図１の実施形態における中央収納室３９内の底に対応する形状に形成される。
【符号の説明】
【０１０４】
２  器体
２５  収納壁
２６  凸部
２７  ガイド部
２ａ  端子収納室
２ｂ  鎖錠ばね
２ｃ  中央片
２ｄ  接触片
２ｅ  鎖錠片
２ｈ  当接片
２ｉ  押さえ片
２０ｉ  突起部
２ｊ  連結部
２ｋ  速結端子板
２ｍ  電線挿入口
【図１】
2015162453.tif 000003
【図２】
2015162453.tif 000004
【図３】
2015162453.tif 000005
【図４】
2015162453.tif 000006
【図５】
2015162453.tif 000007
【図６】
2015162453.tif 000008
【図７】
2015162453.tif 000009
【図８】
2015162453.tif 000010
【図９】
2015162453.tif 000011
【図１０】
2015162453.tif 000012
【図１１】
2015162453.tif 000013
【図１２】
2015162453.tif 000014
【図１３】
2015162453.tif 000015
【図１４】
2015162453.tif 000016